(57)【要約】      （修正有）【課題】ペアゴルファーがゴルフを存分に楽しめることができるペアゴルフ予約支援システムを提供する。【解決手段】ペアでのゴルフプレーを希望する複数の会員の各端末装置と、ペアゴルフ予約支援サービスを行う支援サーバとがインターネットを介して相互に通信接続されたペアゴルフ予約支援システムである。各端末装置は、各申込者の会員情報、ペアでのプレー条件を含むペアプレー情報を入力するための入力手段を備える。支援サーバは、会員情報登録手段３１と、ペアプレー情報登録手段３２と、会員情報、ペアプレー情報及びゴルフ場情報を格納する格納手段１０と、ペアプレー情報の中からプレー条件情報を読み出して照合し、条件が合致したペアの申込者どうしを２ペア１組のパーティとして成立させる２ペアマッチング手段３３と、パーティが成立した場合に、少なくとも各ペアの申込者に対して電子メールで通知する手段３５と、を備える。【選択図】図２
2014215741.tif 000002
【特許請求の範囲】
【請求項１】
ペアでのゴルフプレーを希望する複数の会員の各端末装置と、ペアゴルフ予約支援サービスを行う支援サーバとがインターネットを介して相互に通信可能に接続されたペアゴルフ予約支援システムであって、
前記各端末装置は、前記各申込者の会員情報、ペアでのプレー条件を含むペアプレー情報を入力するための入力手段を備え、
前記支援サーバは、
前記各端末装置から入力された会員情報を登録する会員情報登録手段と、
前記各端末装置から入力されたペアプレー情報を登録するペアプレー情報登録手段と、
前記会員情報、ペアプレー情報及びゴルフ場情報を格納する格納手段と、
前記ペアプレー情報の中から前記プレー条件情報を読み出して照合し、条件が合致したペアの申込者どうしを２ペア１組のパーティとして成立させる２ペアマッチング手段と、
前記パーティが成立した場合に、少なくとも各ペアの申込者に対して電子メールで通知する手段と、
を備えることを特徴とする、ペアゴルフ予約支援システム。
【請求項２】
ゴルフのパーティ予約受付手段を有するゴルフ場の専用サーバが前記インターネットに接続され、前記支援サーバは、前記専用サーバのパーティ予約受付手段に対してプレーの予約を行う、ゴルフ場予約手段を備えていることを特徴とする、請求項１に記載のペアゴルフ予約支援システム。
【請求項３】
前記ペアでのプレー条件が、プレー希望日と、コース名と、を含むことを特徴とする、請求項１又は２に記載のペアゴルフ予約支援システム。
【請求項４】
前記ペアでのプレー条件が、夫婦、親子、友人同士、恋人同士、のうちの少なくとも一つを含むことを特徴とする、請求項１〜３の何れかに記載のペアゴルフ予約支援システム。
【請求項５】
前記ペアでのプレー条件が、性別、年齢、最近スコアのうちの少なくとも一つを含むことを特徴とする、請求項１〜４の何れかに記載のペアゴルフ予約支援システム。
【請求項６】
前記端末装置が、パソコン、携帯用情報端末、携帯電話の何れかであることを特徴とする、請求項１〜５の何れかに記載のペアゴルフ予約支援システム。
【発明の詳細な説明】
【技術分野】
【０００１】
本発明は、インターネットを利用したゴルフ予約支援システムに係り、特にペアゴルファーどうしを１組のパーティとして成立させるサービスを行うペアゴルフ予約支援システムに関するものである。
【背景技術】
【０００２】
一般に、ゴルフ場でのプレーを希望する者は、自分で仲間を集めてパーティ（普通は４名から成る）を結成し、希望するゴルフ場に予約を入れる必要があった。しかし、ゴルフ仲間がいない場合や、いても集まらない場合、あるいは仲間はいるもののたまには同じレベルの実力を持つ者どうしで競い合いたい場合など、一人でも申し込みたいという個別のニーズが存在する。
【０００３】
一方、夫婦や親子、友人同士、恋人同士等のペアゴルファーにとっては、交通に便利な近くのゴルフ場などにおいて、二人で一緒にゴルフを楽しみたいという、ペアゴルファー特有のニーズが存在する。
【０００４】
こうしたニーズに対し、まず個別のニーズでは、希望するゴルフ場が一人での申し込みを受け付けてくれれば問題ないが、そのような受付をしていないゴルフ場の場合はプレーを諦めざるを得ない。
【０００５】
また、ペアゴルファー特有のニーズに対しては、希望する近くのゴルフ場は平日のみ受付けてくれる場合があるものの、休日や祭日は難しいことが多い。そのため、休日や祭日は、例えば片道２時間以上もかかる遠くのゴルフ場まで遠征せざるを得なかった。
即ち、普段2人でゴルフをしているペアゴルファーの最大の悩みは、春秋のシーズン中の休日に2人でゴルフ場予約が出来ない点にある。
欧米のゴルフ場では当たり前に2人で予約が出来るのに、日本の首都圏近郊のゴルフ場は3人以上でなければ受け付けてくれない。
そういう状況の中、仕方がなく高い高速料金を払って2時間以上かけて渋滞を心配しながら2人で予約出来るゴルフ場に出かけているのが現状である。
【０００６】
近年、インターネットを利用して、ゴルフ場に対して一人でプレーの申し込みを行うことのできるシステムが提案されている（特許文献１参照）。これは、ゴルフ場のＷｅｂサイトから予約エントリーを行うと、その予約者と過去に同じパーティでプレーした者を当該ゴルフ場の会員データベースの中から選択（検索）し、選択した会員に自動的に案内メールを送信することにより、案内に応じた者どうしでパーティを編成するというシステムである。
これにより、一人でも申し込むことができ、しかも面識のある者どうしでプレーすることができるというメリットはある。
【０００７】
しかし、このシステムは、確かに一人での申し込みには適しているものの、ペアゴルファーでの申し込みには適さないというデメリットがある。なぜなら、仮に二人で申し込んだとしても、別々のパーティに振り分けられてしまう恐れがあり、好ましくないからである。
また、４人一組のパーティの中で、仮に二人同一組となるように申し込んだとしても、一人申込者との間で、ペアと単独者一人ないし二人との組み合わせになる恐れがあり、好ましい組み合わせとは言えない。
【先行技術文献】
【特許文献】
【０００８】
【特許文献１】特開２００２−３１２５３０号公報
【発明の概要】
【発明が解決しようとする課題】
【０００９】
よって、本発明の課題は、交通至便なゴルフ場において、プレイヤーが集中する休日や祭日でもペアゴルファーという二人単位での申し込みを可能にして、ペアゴルファーどうしを２ペアで１組のパーティとして成立させるサービスを行うことにより、ペアゴルファーがゴルフを存分に楽しめることができるペアゴルフ予約支援システムを提供することにある。
【課題を解決するための手段】
【００１０】
前記課題を解決する本発明は、ペアでのゴルフプレーを希望する複数の会員の各端末装置と、ペアゴルフ予約支援サービスを行う支援サーバとがインターネットを介して相互に通信可能に接続されたペアゴルフ予約支援システムであって、
前記各端末装置は、前記各申込者の会員情報、ペアでのプレー条件を含むペアプレー情報を入力するための入力手段を備え、
前記支援サーバは、
前記各端末装置から入力された会員情報を登録する会員情報登録手段と、
前記各端末装置から入力されたペアプレー情報を登録するペアプレー情報登録手段と、
前記会員情報、ペアプレー情報及びゴルフ場情報を格納する格納手段と、
前記ペアプレー情報の中から前記プレー条件情報を読み出して照合し、条件が合致したペアの申込者どうしを２ペア１組のパーティとして成立させる２ペアマッチング手段と、
前記パーティが成立した場合に、少なくとも各ペアの申込者に対して電子メールで通知する手段と、を備えることを特徴とする。
【００１１】
本発明によれば、ペアゴルファーという二人単位での申し込みを可能にして、ペアゴルファーどうしを２ペアで１組のパーティとして成立させるサービスを行うことにより、交通至便なゴルフ場において、プレイヤーが集中する休日や祭日でもペアゴルファーという二人単位での申し込みを可能にすることができ、これにより、ペアゴルファーがゴルフを存分に楽しめることができるペアゴルフ予約支援システムを提供することができる。
【００１２】
本発明の好ましい形態では、ゴルフのパーティ予約受付手段を有するゴルフ場の専用サーバが前記インターネットに接続され、前記支援サーバは、前記専用サーバのパーティ予約受付手段に対してプレーの予約を行う、ゴルフ場予約手段を備えていることを特徴とする。
このように、支援サーバがゴルフ場予約手段を有することで、ゴルフ場の専用サーバにアクセスして予約を確定させることができる。
【００１３】
また、本発明の好ましい形態では、前記ペアでのプレー条件が、プレー希望日と、コース名と、を含むことを特徴とする。
このように、ペアでのプレー条件に、プレー希望日の他に、コース名を含ませることで、確実な予約と、高いマッチング率が得られるシステムとすることができる。
【００１４】
また、本発明の好ましい形態では、前記ペアでのプレー条件が、夫婦、親子、友人同士、恋人同士、のうちの少なくとも一つを含むことを特徴とする。
このように、ペアプレーの条件に、夫婦、親子、友人同士、恋人同士、のうちの少なくとも一つを含ませることで、２ペア１組のパーティとして、より好ましい形態とすることができる。例えば、夫婦どうしでの２ペア、友人同士での２ペアといった組合せとすることが可能になる。しかも、組み合わせがシンプルであるため、比較的高いマッチング率とすることが可能になる。
【００１５】
また、本発明の好ましい形態では、前記ペアでのプレー条件が、性別、年齢、平均スコアのうちの少なくとも一つを含むことを特徴とする。
このようなプレー条件とした場合、互いの希望に近い、比較的類似した２ペアの組み合わせとすることが可能になる。
【００１６】
本発明の好ましい形態では、前記端末装置が、パソコン、携帯用情報端末、携帯電話の何れかであることを特徴とする。
【発明の効果】
【００１７】
本発明のペアゴルフ予約支援システムによれば、ペアゴルファーという二人単位での申し込みを可能にして、ペアゴルファーどうしを２ペアで１組のパーティとして成立させるサービスを行うことにより、交通至便なゴルフ場において、プレイヤーが集中する休日や祭日でもペアゴルファーという二人単位での申し込みを可能にすることができる。これにより、ペアゴルファーがゴルフを存分に楽しめることができる。
【図面の簡単な説明】
【００１８】
【図１】本発明の実施形態に係るペアゴルフ予約支援システムの構成図である。
【図２】本発明の実施形態に係るペアゴルフ予約支援システムの支援サーバの機能ブロック図である。
【図３】本発明の実施形態に係る会員情報登録画面の一例を示す説明図である。
【図４】本発明の実施形態に係る休日の予約カレンダー入力画面の一例を示す説明図である。
【図５】本発明の実施形態に係る休日のマッチング予約確認画面の一例を示す説明図である。
【図６】本発明の実施形態に係る同伴者情報入力画面の一例を示す説明図である。
【図７】本発明の実施形態に係るペアプレー情報入力画面の一例を示す説明図である。
【図８】本発明の実施形態に係るリアルタイム予約におけるゴルフ場一覧・予約カレンダー入力画面の一例を示す説明図である。
【図９】本発明の実施形態に係る休日のマッチング予約の概念を示す説明図である。
【図１０】本発明の実施形態に係る平日のリアルタイム予約の概念を示す説明図である。
【図１１】本発明の実施形態に係るペアゴルフ予約支援システムの動作を説明するためのフローチャートである。
【発明を実施するための形態】
【００１９】
以下、本発明の一実施形態について、図面を参照して説明する。
図１は、本発明の一実施形態に係るペアゴルフ予約支援システムの構成を示す概念図である。このシステム１は、ペアでのゴルフプレーを希望する複数の会員の各端末装置２（パソコン２ａ、携帯２ｂ、携帯情報端末２ｃ）と、ペアゴルフ予約支援サービスを行う支援サーバ３と、それぞれのゴルフ場で管理する専用サーバ４とがインターネット５を介して相互に通信可能に接続されている。
【００２０】
支援サーバ３には、記憶装置（データベース）１０が接続されている。データベース１０には、ペアゴルファーの会員情報１１、プレーを希望するゴルフ場の条件（場所、コース名、料金等）や、ペアでのプレー条件等を含むペアプレー情報１２、ゴルフ場の営業情報（ゴルフ場名、場所、料金、コース内容、サービス内容、設備等）であるゴルフ場情報１３などが格納されている。
【００２１】
図２は前記支援サーバ３の機能ブロック図を示すものである。
この支援サーバ３は、会員情報登録手段３１と、ペアでのプレー条件等を含むペアプレー情報を登録するペアプレー情報登録手段３２と、２ペアマッチング手段３３と、ゴルフ場予約手段３４と、メール送受信手段３５と、それらの制御部３０と、を備えている。データベース１０は制御部３０に接続されている。
【００２２】
会員情報登録手段３１は、図１に示すように、パソコン２ａ、携帯電話２ｂ、携帯用情報端末２ｃ等の各端末装置２の入力手段を利用して入力された会員情報を受け付けて、データベース１０に会員情報として登録する機能を備えている。例えば、図３に示すような新規会員登録画面を用いて行われる。
この図３に示す新規会員登録画面には、名前、性別、生年月日、郵便番号、住所、電話番号、Ｅメールアドレス、パスワード、等を入力する欄が設けられている。
【００２３】
ペアプレー情報登録手段３２は、端末装置２の入力手段から入力されたペアプレー条件（プレー希望日、コース名、プラン名、プラン内容、料金等）や、希望する同伴ペアゴルファーの条件（夫婦や親子、友人同士、恋人同士等のペアゴルファーの相関関係、性別、年齢、最近のスコアなど）を受け付けて、データベース１０内にペアプレー情報１２として登録する機能を有する。例えば、図４、図５、図６、図７に示すような入力画面を用いて登録を受け付ける。
【００２４】
図４は、休日の予約カレンダーを示す入力画面であり、関東近辺の７つの高速道路エリアのゴルフ場の予約代行入力画面の例を示すものである。
この入力画面には、東関東自動車道エリア、東京湾横断道エリア、常磐自動車道エリア、東北自動車道エリア、関越自動車道エリア、中央自動車道エリア、東名自動車道エリアが地図と共に分かり易く表示されている。
【００２５】
さらに、各自動車道エリア毎に、コース名、プラン名、プラン内容、料金、２サム割増料金、プレー日の予約カレンダーが表示されている。この予約カレンダーには、○印で示すリアルタイム予約ボタンと、□印で示すマッチング予約ボタンとがあり、申込者はこのいずれかをクリックすることで、予約操作を進めることができる。なお、×印は予約不可を、−印はプラン設定なしを示している。
【００２６】
２ペアマッチング手段３３は、データベース１０内にある複数のペアプレー情報の中かから、２ペアでのプレー条件情報を検索し、条件が合致するペアゴルファーを抽出して、２ペア１組（４名）として、ゴルフパーティを成立させる機能を有する。２ペアの抽出条件としては、主として、同伴ペアゴルファーの条件に基づいて抽出される。例えば、コース名、プレー希望日の他、夫婦や親子、友人同士、恋人同士等のペアゴルファーの相関関係、性別、年齢、最近のスコアなどの希望するペアプレー情報に基づいて抽出又は選択される。
【００２７】
例えば、図４に示す入力画面において、□印のマッチング予約ボタンがクリックされると、次に、図５に示すマッチング予約画面を用いたマッチング予約内容が表示される。
【００２８】
このマッチング予約画面には、スタート時間の記入欄があり、希望スタート時間の□にチェックを入れて、次へ、をクリックすることで図６に示す、同伴者情報入力画面が表示され、記入後に、次へ、をクリックすることで、マッチング予約確認画面が表示され、「決定」のボタンをクリックして、申込完了となる。
【００２９】
なお、この決定ボタンのクリック前に、またはクリック後において、図７に示すような同伴ペアゴルファーの条件（ペアでのプレー条件）を入力する画面を用いることで、２ペア４人のパーティとして、より好ましい形態でのマッチングを行えるようにすることができる。
【００３０】
この図７の入力画面には、夫婦や親子、友人同士、恋人どうし等のペアゴルファーの相関関係、性別、年齢、最近のスコア、などの入力欄が用意されている。もちろん、この入力欄への入力は任意であり、パスすることもできる。但し、入力した場合には、その項目の内容や項目数によって、マッチング率に影響がでるので、この点を考えて入力する必要がある。マッチング率を高める上で、特に好ましいペアでのプレー条件は、希望プレー日と、コース名を挙げることができる。
【００３１】
ゴルフ場予約手段３４は、２ペアマッチング手段３３によりパーティが成立した場合に、データベース１０にあるゴルフ場情報１３を検索して、希望条件に合致するゴルフ場をリストアップし、そのゴルフ場の管理する専用サーバ４のゴルフプレー予約手段に対してプレー予約情報を送信し、プレーの予約を行う機能を有する。
【００３２】
メール送受信手段３５は、プレー予約が成立した場合に、ゴルフ場の専用サーバ４から送信される２ペアパーティの予約成立メールの受信、２ペアパーティのメンバー全員又は各ペアのどちらかの会員にそれぞれ予約成立メールを送信する機能を有する。
【００３３】
制御部３０は、前記会員情報登録手段３１、ペアプレー情報登録手段３２、２ペアマッチング手段３３、ゴルフ場予約手段３４、メール送受信手段３５を所定のプログラムに従って制御するものであり、マイクロプロセッサ等で構成される。
【００３４】
本実施形態に係るペアゴルフ予約支援システムでは、図９及び図１０に示すように、２ペア１組とする休日のマッチング予約と、１ペア１組の予約が可能な平日のリアルタイム予約の２種類用意してある。そして、本実施形態においては次のように設定されている。
【００３５】
＜マッチング予約＞
マッチング予約は２ペアになり次第予約確定とする。
マッチング予約の締め切りはプレーの７日前とする。
マッチング予約では、締切までに２ペアにならない場合はリクエスト不成立（キャンセル）とする。
【００３６】
＜リアルタイム予約＞
リアルタイム予約の締め切りはプレーの３日前とする。
【００３７】
図９は、休日のマッチング予約の流れについて説明したものであり、申し込んだ複数組のペアゴルファーＰ１、Ｐ２を、ペアゴルフクラブＰのペアゴルフ予約支援システムを利用してマッチングし、２ペア４人になったら予約確定とし、ゴルフ場へ申し込みを行う。
【００３８】
図１０は、平日のリアルタイム予約の流れについて説明したものである。同図に示すように、ペアゴルファーＰ１の申込は、１ペアで予約確定とし、ゴルフ場へ申し込みを行う。また、例えば、知り合い同士４人での予約となるような、ペアゴルファーＰ２、Ｐ３の場合には、２ペアで予約確定とする。このように、基本は２人プレーであり、希望があれば知り合い同士で４人プレーとすることができるように設計されている。
【００３９】
次に、本実施形態係るペアゴルフ予約支援システムを用いてゴルフパーティのマッチングを行う処理の流れを、図１１に示したフローチャートに基づいて説明する。
【００４０】
まず、ペアゴルフプレーを希望する申込者が、自分の端末装置２からペアゴルフ予約支援サービスを行うサイト（支援サーバ３）にアクセスし、会員登録画面（図３）から必要な情報を入力し、会員登録を行う（ステップＳ１）。ただし、この登録は初回のみである。登録された会員情報はデータベース１０に格納される。
【００４１】
次に、同じサイトのプレー予約画面（図示せず）にログインし（ステップＳ２）、二人のゴルフ場予約のメニューボタンをクリックすることで表示される、休日の２ペアマッチング予約ボタンか、平日のリアルタイム予約ボタンかのいずれかを選択する（ステップ３）。
【００４２】
ステップＳ３において、休日のマッチング予約が選択されると、図４に示す休日の予約カレンダー等の入力画面が表示されるので、希望日を選択する（ステップＳ４）。その際、コース名、プラン名、プラン内容、料金等を参考にしながら、マッチング予約の場合は□印のボタンを、リアルタイム予約の場合は○印のボタンをクリックする。
【００４３】
ステップＳ４において、希望日が選択されると、それに応じて順次開かれる入力画面（図５〜図７）に、他の希望するプレー条件及び同伴者の条件等を入力する（ステップＳ５）。入力された希望するペアプレー情報はデータベース１０に格納される。
【００４４】
次に、２ペアマッチング手段３３が、データベース１０の中のペアプレー情報３２を検索し、希望条件が合致する申込者を抽出して、２ペア４名１組としてゴルフパーティを成立させる（ステップＳ６）。
【００４５】
ここで、パーティが成立した場合（ステップＳ７）は、ゴルフ場予約手段２４がデータベース１０にあるゴルフ場情報３３を検索して希望条件に合致するゴルフ場をリストアップし、そのゴルフ場自身が管理する専用サーバ４のプレー予約受付手段に対してプレー予約情報を送信し、プレーの予約を行う（ステップＳ８）。
【００４６】
予約が確定した場合（ステップＳ９）は、予約確定通知を予約成立したパーティメンバー全員に電子メールで通知する（ステップＳ１０）。
【００４７】
一方、ステップＳ３において、平日のリアルタイム予約が選択された場合、図８に示す、ゴルフ場一覧・予約カレンダーの入力画面からゴルフ場を選択（ステップＳ１１）することで、１ペア二人でのリアルタイム予約が受け付けられ、ステップＳ８へ移行する。
【００４８】
ステップＳ８では、ゴルフ場予約手段３４が、リストアップされたゴルフ場の中から選択したゴルフ場の予約が行なわれ、以下、上記と同様にして電子メールが送信される。
【００４９】
なお、ステップＳ７において、２ペアマッチング手段３３によってパーティが成立しなかった場合、ステップＳ１２へ移行し、プレー希望日を経過していなければ、ステップＳ６に戻り、パーティが成立するまで繰り返す。パーティが成立せずにプレー希望日を経過してしまった場合は、予約不成立通知を電子メールにて申込者に通知する（ステップＳ１３）。パーティは成立したものの、ゴルフ場の予約が取れなかった場合も同様に予約不成立通知を行う。
【００５０】
このように、本実施形態では、ペアゴルファーという二人単位での申し込みを可能にして、ペアゴルファーどうしを２ペアで１組のパーティとして成立させるサービスを行うことにより、交通至便なゴルフ場において、プレイヤーが集中する休日や祭日でもペアゴルファーという二人単位での申し込みを可能にすることができる。これにより、ペアゴルファーがゴルフを存分に楽しめることができる。
【００５１】
また、平日においては、リアルタイム予約により、予約を確定することができるので、この場合は従来と同様に平日のペアゴルファーという二人単位での申し込みを可能にし、これにより、ペアゴルファーとしてゴルフを存分に楽しめることができる。
【符号の説明】
【００５２】
１  ペアゴルフ予約支援システム
２  情報端末装置
３  支援サーバ
４  専用サーバ
５  インターネット
１０  記憶装置（データベース）
１１  会員情報
１２  ペアプレー情報
１３  ゴルフ場情報
３０  制御部
３１  会員情報登録手段
３２  ペアプレー情報登録手段
３３  ２ペアマッチング手段
３４  ゴルフ場予約手段
３５  メール送受信手段
Ｃ  休日の予約カレンダー
【図１】
2014215741.tif 000003
【図２】
2014215741.tif 000004
【図３】
2014215741.tif 000005
【図４】
2014215741.tif 000006
【図５】
2014215741.tif 000007
【図６】
2014215741.tif 000008
【図７】
2014215741.tif 000009
【図８】
2014215741.tif 000010
【図９】
2014215741.tif 000011
【図１０】
2014215741.tif 000012
【図１１】
2014215741.tif 000013